(57)【要約】【課題】ロール状の粘着テープを切断する際に剥離用タブを形成可能なテープカッターにおいて、剥離タブを確実に安定して形成することができるテープカッターを提供すること。【解決手段】  本発明に係るテープカッター１は、固定カム機構を用いて、固定カム板２に形成されたカム溝２１の形状がスライドクランクバー１５の動く軌道を決定するものであり、ラチェット１１の回転によりストッパー１７に配設された歯止め１７１がラチェットの歯１１１から外れ、スライドクランクバー１５が後方に移動し、それに伴い揺動クランクバー１４の先端が前方に移動する一方、粘着テープＴが切断刃１４１により切断されることによりスライドクランクバー１５が前方に移動することにより、揺動クランクバー１４の先端が後方に戻りながら、上側のループからなる剥離タブＴＢを確実に安定して形成する。【選択図】図６
2012240782.tif 000002
【特許請求の範囲】
【請求項１】
ロール状の粘着テープを回転可能に支持固定する支持体と、
前記粘着テープと回転軸を共通にして回転するラチェットと、
前記粘着テープの前方に配設され、引き出された前記粘着テープの上側を摺接可能にして、当該粘着テープを前方に導くガイドと、
前記引き出された粘着テープを切断するための切断刃を先端に配設し、支点軸により揺動可能とされる揺動クランクバーと、
前記揺動クランクバーの先端を後方に付勢する付勢手段と、
前記揺動クランクバーに回動可能に連結されるスライドクランクバーと、
前記スライドクランクバーに取り付けられ、前記ラチェットの歯と噛み合う歯止めが形成されたストッパーと、
前記スライドクランクバーに配設されるボスを嵌め込み、前記ボスの軌道を誘導するカム溝が形成された固定カム板と、を含み、
前記スライドクランクバーが、前記揺動クランクバーの先端が前方になるように回動されると後方に、先端が後方になるように前記揺動クランクバーが回動されると前方に移動し、
前記固定カム板に形成される前記カム溝が、前記ボスを後方に導く第１経路と、前記第１経路と繋がり前記ボスを下側に導く第２経路と、前記第２経路と繋がり前記ボスを前方に導き、前記第１経路に繋がる第３経路と、を含み、
前記ラチェットの歯と前記ストッパーの歯止めが噛み合っている状態で、前記ラチェットが回転することにより、前記ストッパーの歯止めが下側に押し出されることを特徴とするテープカッター。
【請求項２】
前記第２経路が、前記第１経路と繋がり下側前方に落ちる方向に形成される留め部を含むことを特徴とする請求項１に記載のテープカッター。
【請求項３】
前記第３経路が、前記ボスを斜め上側前方に導いて前記第１経路に繋がる経路を含むことを特徴とする請求項１または請求項２に記載のテープカッター。
【請求項４】
前記ガイドの後方に、前記粘着テープと対向する部分を略Ｕ字形状に形成した板状部材からなるテープ受けが配設されていることを特徴とする請求項１ないし請求項３のいずれかに記載のテープカッター。
【請求項５】
前記ガイドの後方及び前記粘着テープの下側に、当該粘着テープと摺接可能とされ、当該粘着テープが引き出されることにより摺接して回転する方向にのみ回転可能なローラーからなるテープ受けが配設されていることを特徴とする請求項１ないし請求項３のいずれかに記載のテープカッター。
【請求項６】
前記ストッパーが、付勢手段によりラチェットへ向かう方向に付勢されていることを特徴とする請求項１ないし請求項５のいずれかに記載のテープカッター。
【発明の詳細な説明】
【技術分野】
【０００１】
本発明は、テープカッターに関する。さらに詳しくは、剥離用のタブを形成可能なテープカッターに関する。
【背景技術】
【０００２】
事務作業の机上や店舗等において粘着テープを切断するために使用されるテープカッターは、セロハン、紙、合成樹脂等を構成材料とする長尺テープに粘着剤を塗布しロール状に加工し、所定の幅に切断された粘着テープを回転自在に支持する部分と、前方に引き出された粘着テープを切断する部分で構成されるのが一般的である（例えば、特許文献１を参照。）。
【０００３】
また、店舗等において顧客が購入した商品の包装材料は、前記した構成のテープカッターにより切断された粘着テープにより封止されることが多いが、粘着テープは、引き出されて切断される際にテープ周縁を含めてその全面が対象物に密着するため、強固に付着している場合には使用者が粘着テープの端部に爪を立てて剥がし取らねばならない等の問題があった。また、セロハンや合成樹脂等の透明材料を用いた、それ自体が透明な粘着テープは被着された場合目立たなくなるために広く使用されている一方で、剥離を行なうためにテープの端部を探してもこれを発見することができないことも多く、特に弱視者や高齢者等にとってテープの剥離を行うことはかなり面倒な作業となっていた。加えて、透明な粘着テープは、粘着剤に貼付者の指紋の跡が残ってしまう場合があり、貼着する対象や場所によっては美観を損ねることになっていた。
【０００４】
このように、テープカッターにより切り出した粘着テープを貼着した後、粘着テープが不要となり剥離したい場合に、貼着した後の粘着テープの剥離が困難である場合が多く、この解決策として粘着テープの将来の剥離を前提とする場合は、粘着テープを希望する長さに切り出した後、粘着テープの片端の粘着面同士等を貼り合わせて折り返すことで非粘着部となる剥離用のタブ（剥離タブ）を作成して、かかる剥離タブが形成されたテープを目的物に貼着することが一般的に行なわれている。一方、貼付時に人力で剥離タブを形成する場合には、きれいに折り返せなかったり、時間がかかったりしてレジの混雑時には顧客に迷惑をかけてしまう等の問題があり、顧客サービスに逆行してしまっているのが実情であった。
【０００５】
この様な現状に鑑み、粘着テープの一片が剥がしやすいテープカッターの開発が、店舗と顧客の両サイドより切望されている。そして、近年、粘着テープを切断することと同時に、併せて先端を折り返したりすること等により、剥離位置をなす剥離タブを形成可能なテープカッターが提供されている（例えば、特許文献２及び特許文献３を参照。）。
【先行技術文献】
【特許文献】
【０００６】
【特許文献１】特開平７−９７１２０号公報
【特許文献２】特開平９−１０００６１号公報
【特許文献３】実用新案登録第３１１７５６０号公報
【発明の開示】
【発明が解決しようとする課題】
【０００７】
しかしながら、剥離タブが形成可能な従来のテープカッターについては、剥離タブを作るために通常の粘着テープ切断に加えた操作が必要であった。また、テープ切断の作業と一緒に自動的に剥離タブが形成されるテープカッターについては、動作の確実性について問題があり、広く普及するには至らず、改良が望まれていた。
【０００８】
本発明の目的は、前記の課題に鑑みてなされたものであり、ロール状の粘着テープを切断する際に剥離タブを形成可能なテープカッターにおいて、剥離タブを確実に安定して形成することができるテープカッターを提供することにある。
【課題を解決するための手段】
【０００９】
前記の課題を解決するために、本発明に係るテープカッターは、ロール状の粘着テープを回転可能に支持固定する支持体と、前記粘着テープと回転軸を共通にして回転するラチェットと、前記粘着テープの前方に配設され、引き出された前記粘着テープの上側を摺接可能にして、当該粘着テープを前方に導くガイドと、前記引き出された粘着テープを切断するための切断刃を先端に配設し、支点軸により揺動可能とされる揺動クランクバーと、前記揺動クランクバーの先端を後方に付勢する付勢手段と、前記揺動クランクバーに回動可能に連結されるスライドクランクバーと、前記スライドクランクバーに取り付けられ、前記ラチェットの歯と噛み合う歯止めが形成されたストッパーと、前記スライドクランクバーに配設されるボスを嵌め込み、前記ボスの軌道を誘導するカム溝が形成された固定カム板と、を含み、前記スライドクランクバーが、前記揺動クランクバーの先端が前方になるように回動されると後方に、先端が後方になるように前記揺動クランクバーが回動されると前方に移動し、前記固定カム板に形成される前記カム溝が、前記ボスを後方に導く第１経路と、前記第１経路と繋がり前記ボスを下側に導く第２経路と、前記第２経路と繋がり前記ボスを前方に導き、前記第１経路に繋がる第３経路と、を含み、前記ラチェットの歯と前記ストッパーの歯止めが噛み合っている状態で、前記ラチェットが回転することにより、前記ストッパーの歯止めが下側に押し出されることを特徴とする。
【００１０】
本発明に係るテープカッターは、前記した本発明の構成において、前記第２経路が、前記第１経路と繋がり下側前方に落ちる方向に形成される留め部を含むことを特徴とする。
【００１１】
本発明に係るテープカッターは、前記した本発明の構成において、前記第３経路が、前記ボスを斜め上側前方に導いて前記第１経路に繋がる経路を含むことを特徴とする。
【００１２】
本発明に係るテープカッターは、前記した本発明の構成において、前記ガイドの後方に、前記粘着テープと対向する部分を略Ｕ字形状に形成した板状部材からなるテープ受けが配設されていることを特徴とする。
【００１３】
本発明に係るテープカッターは、前記した本発明の構成において、前記ガイドの後方及び前記粘着テープの下側に、当該粘着テープと摺接可能とされ、当該粘着テープが引き出されることにより摺接して回転する方向にのみ回転可能なローラーからなるテープ受けが配設されていることを特徴とする。
【００１４】
本発明に係るテープカッターは、前記した本発明の構成において、前記ストッパーが、付勢手段によりラチェットへ向かう方向に付勢されていることを特徴とする。
【発明の効果】
【００１５】
本発明に係るテープカッターは、揺動クランクバーの先端に配設された切断刃が粘着テープを切断してから後方に戻るにあたって、上側のループからなる剥離タブを確実に安定して形成することができる。
【図面の簡単な説明】
【００１６】
【図１】本発明の第１実施形態に係るテープカッターの一態様を示す斜視図である。
【図２】本発明の第１実施形態に係るテープカッターの一態様を示す斜視図である。
【図３】本発明の第１実施形態に係るテープカッターの一態様を示す斜視図である。
【図４】ストッパー周辺を示した正面図である。
【図５】固定カム板を示した正面図である。
【図６】本発明の第１実施形態に係るテープカッターの正面図である。
【図７】本発明の第１実施形態に係るテープカッターの正面図である。
【図８】本発明の第１実施形態に係るテープカッターの正面図である。
【図９】本発明の第１実施形態に係るテープカッターの正面図である。
【図１０】本発明の第１実施形態に係るテープカッターの正面図である。
【図１１】ストッパー周辺の他の態様を示した正面図である。
【図１２】図１１の右側面図である。
【図１３】ローラーからなるテープ受け周辺の一態様を示した正面図である。
【発明を実施するための形態】
【００１７】
（Ａ）第１実施形態：
以下、本発明の実施形態の例を図面に基づいて説明する。
なお、本出願（本発明）において、「上面」とは、引き出された粘着テープＴの粘着剤が塗布されていない面側、「下面」とは、引き出された粘着テープＴの粘着剤が塗布されている面側であり、「上側」とは、引き出された粘着テープＴの粘着剤が塗布されていない面側の方向、「下側」とは、引き出された粘着テープＴの粘着剤が塗布されている面側の方向、をそれぞれ指す。同様に、本出願（本発明）において、「前方」とは、粘着テープＴが引き出される方向、「後方」とは、粘着テープＴが引き出される側と反対方向、をそれぞれ指す（図１及び図６に「上側」、「下側」、「前方」、「後方」を、矢印を用いて示した。）。また、本出願（本発明）において、支持体Ｓ（リール）やラチェット１１が回転する際の「回転」とは、粘着テープＴが点線矢印方向に引き出される場合の回転方向（図１の実線矢印方向）に回転されることを指す。
【００１８】
（Ｉ）テープカッター１の構成：
図１ないし図５を用いて、本発明の第１実施形態に係るテープカッター１の構成を説明する。
【００１９】
図１ないし図３は、本発明の第１実施形態に係るテープカッター１の一態様を示した斜視図（図１は、粘着テープＴが切断刃１４１に付いている状態、図２は、粘着テープＴが切断刃１４１から離れて切断しようとしている状態、図３は、粘着テープＴが切断され、剥離タブＴＢを形成しようとする状態）、図４はストッパー１７周辺を示した正面図、図５は、固定カム板２を示した正面図、をそれぞれ示す。
【００２０】
図１ないし図３に示すように、本実施形態に係るテープカッター１は、ロール状の粘着テープＴを回転可能に支持固定する支持体Ｓ（リール）と、粘着テープＴと回転軸Ｘを共通にして回転するラチェット１１と、粘着テープＴの前方に配設され、引き出された粘着テープＴの上側を摺接可能にして、粘着テープＴを前方に導くガイド１２と、引き出された粘着テープＴを切断するための切断刃１４１を先端に配設し、支点軸１４２により揺動可能とされる揺動クランクバー１４と、揺動クランクバー１４の先端を後方に付勢する付勢手段と、揺動クランクバー１４に回動可能に連結されるスライドクランクバー１５と、スライドクランクバー１５に取り付けられ、ラチェットの歯１１１と噛み合う歯止め１７１が形成されたストッパー１７と、スライドクランクバー１５に配設されるボス１６を嵌め込み、ボス１６の軌道を誘導するカム溝２１が形成された固定カム板２と、を基本構成として備える。
【００２１】
粘着テープＴが取り付けられる支持体Ｓ（リールＳ）及びラチェット１１は、カッター本体１０の側面板１０１に回転軸Ｘを共通にして回転自在に取り付けられており、粘着テープＴが回転するのと一緒に、ラチェット１１も一体となって同じ回転方向に回転する。ラチェット１１は、本実施形態にあっては、３６枚の歯１１１が形成されており、後記するスライドクランクバー１５に配設されたストッパー１７に形成された歯止め１７１により止められるとともに、ラチェット１１が回転することにより、ストッパー１７の歯止め１７１を下側（下側後方を含む）に押し出すはたらきをする。
【００２２】
粘着テープＴはリールＳから引き出された後、粘着テープＴの下面（粘着剤が塗布されている面を指す。以下同じ。）をテープ受け１３に向けて、粘着テープＴの上面（粘着剤が塗布されていない面を指す。以下同じ。）を断面視略円形状のガイド１２の下側に摺接させて、揺動クランクバー１４の先端に配設された切断刃１４１に、粘着テープＴの下面を押しつけるようにして切断される。テープ受け１３は、粘着テープＴと対向する部分を略Ｕ字形状に窪むように形成された板状部材であり、剥離タブＴＢが下側のループにより形成されるのを抑制する。
【００２３】
揺動クランクバー１４は、前記したように、テープカッター１における上側に存在する一端（粘着テープＴが存在する側の先端）に粘着テープＴを切断するための切断刃１４１を配設している。また、下側に存在する他端は、後記するスライドクランクバー１５と連結軸１４３により連結されている。
【００２４】
なお、切断刃１４１には、安全性を考慮して、図示しない安全カバー（覆い）を配設することが好ましい。かかる安全カバーは、通常時（粘着テープＴを切断しない状態）にあっては切断刃１４１を前方から覆うとともに、粘着テープＴを切断する際にあっては、粘着テープＴを切断するに要する応力により、覆いが下側（あるいは上側）にスライドすることにより切断刃１４１が現れ、かかる切断刃１４１と粘着テープＴが当接可能となる構成となることが好ましく、その形状等は任意に決定することができる。
【００２５】
また、揺動クランクバー１４は、前方（粘着テープＴの引き出し方向）に回動可能に、支点軸１４２によりカッター本体１０の側面板１０１に取り付けられている。揺動クランクバー１４は、取り付けられた図示しない付勢手段（ねじりバネ等）により、特に負荷がかからない状態（開放状態）にあっては、後記する図１０に示すように、切断刃１４１が配設された揺動クランクバー１４の先端が粘着テープＴの後方（引き出し方向と反対方向）に倒れるようになっている。本実施形態に係るテープカッター１は、粘着テープＴを切断刃１４１で切断し、粘着テープＴの先端が切断刃１４１に付いた状態で揺動クランクバー１４が後方に倒れることで、剥離タブＴＢが形成される。なお、揺動クランクバー１４は、かかる後方に倒れた場合であっても、ガイド１２と接触することにより、ガイド１２よりリールＳ（及びラチェット１１）側に倒れることはない。
【００２６】
スライドクランクバー１５は、本実施形態にあっては、正面視略矩形状の棒状部材であり、前記したとおり、一端を揺動クランクバー１４と連結軸１４３により連結されており、揺動クランクバー１４の揺動運動（支点軸１４２を軸とした回動運動）と、スライドクランクバー１５の水平方向が連動する。
【００２７】
揺動クランクバー１４が開放状態であり、また、スライドクランクバー１５も開放状態（スライドクランクバー１５に配設されるストッパー１７（後記）に形成された歯止め１７１と、ラチェットの歯１１１が噛み合っていない状態）にあっては、揺動クランクバー１４に取り付けられた図示しない付勢手段の付勢力により、揺動クランクバー１４における切断刃１４１が配設された先端が後方に倒れ、連結軸１４３により揺動クランクバー１４と連結されるスライドクランクバー１５の一端が前方に移動する。このように、スライドクランクバー１５は、揺動クランクバー１４の先端が前方になるように回動されると後方に、揺動クランクバー１４の切断刃１４１が配設された先端が後方になるように回動されると前方に移動することになる。
【００２８】
スライドクランクバー１５には、図の手前に向かってボス１６（突起）が配設されている。かかるボス１６は、後記する固定カム板２に形成されたカム溝２１に、図面の手前に向かって嵌め込まれており、かかるカム溝２１の形状に沿って、スライドクランクバー１５が上下（上側、下側）及び左右（前方、後方）に移動し、揺動クランクバー１４も、かかるスライドクランクバー１５の動きに対応して、連結軸１４３を中心に回動（揺動）するようになる。
【００２９】
図４は、ストッパー１７及びその周辺を示した正面図である。ストッパー１７は、固定軸１７２を介してスライドクランクバー１５に回動可能に固定されており、ラチェット１１に対向する側に、ラチェットの歯１１１と係合するための歯止め１７１が形成されている。本実施形態にあっては、歯止め１７１の形状は、ラチェット１１が回転するとき、ラチェットの歯１１１をすべるような形状とされており、ラチェット１１の回転により、ストッパー１７の歯止め１７１が下側後方に押し出されることになる。
【００３０】
図１にあるように、剥離タブＴＢが形成され、次の引き出しを待つ状態にあっては、ラチェットの歯１１１とストッパー１７に形成された歯止め１７１が噛み合っているが、かかる状態から粘着テープＴが引き出されることにより粘着テープＴ及びラチェット１１は図１の実線矢印方向に回転し、図２に示すように、ラチェットの歯１１１の形状に沿ってストッパー１７の歯止め１７１が下側後方に押し出され、それとともにスライドクランクバー１５も下側後方に移動することになる。
【００３１】
また、図５は、固定カム板２を示した正面図である。固定カム板２は、カッター本体１０の台座１０２に固定された板状部材にカム溝２１（誘導溝）が形成されることにより構成され、かかるカム溝２１にスライドクランクバー１５に配設されたボス１６を嵌め込み、ボス１６の軌道及びスライドクランクバー１５の軌道を誘導することになる。カム溝２１は、このように、ボス１６の軌道を誘導するものであり、本発明にあっては、ボス１６を後方に導く第１経路２１１と、第１経路２１１と繋がりボス１６を下側に導く第２経路２１２と、第２経路２１２と繋がりボス１６を前方に導き、第１経路２１１に繋がる第３経路２１３と、を含むように形成される。
【００３２】
本実施形態にあっては、固定カム板２に形成されるカム溝２１は、ボス１６を後方に導く第１経路２１１と、第１経路２１１と繋がりボス１６を下側後方に落ちる方向に形成される第１留め部２１ａと、第１留め部２１ａと繋がり下側前方に落ちる方向に形成される第２留め部２１ｂと、第２留め部２１ｂと繋がり下側後方に落ちる第３留め部２１ｃと、第３留め部２１ｃと繋がり、前方に水平に延びる経路２１３ｘと、経路２１３ｘと繋がり、上側前方に延びて第１経路２１１の始点２１１ｓに繋がるように形成される経路２１３ｙからなり、第１経路２１１、第１留め部２１ａ、第２留め部２１ｂ、第３留め部２１ｃ（第１留め部２１ａ、第２留め部２１ｂ、第３留め部２１ｃによる第２経路２１２）、第３経路２１３（経路２１３ｘ，２１３ｙ）が一連に繋がって、正面視で略逆台形状となるように形成されている。なお、図５には、ボス１６が第１経路２１１の始点２１１ｓにある状態を示している。
【００３３】
カム溝２１を構成する第１経路２１１は、ボス１６ないしはスライドクランクバー１５を後方に導くものである。第１経路２１１と繋がる第１留め部２１ａにボス１６が入り込むことにより、ストッパー１７の歯止め１７１がラチェット１１から確実に離れることになる。また、第２留め部２１ｂは、第１留め部２１ａと繋がり下側前方に形成されているが、このように前方に一度戻るように第２留め部２１ｂを形成することにより、ボス１６が固定（ロック）され、スライドクランクバー１５及びスライドクランクバー１５と連接される揺動クランクバー１４が固定されることになる。さらに、第３留め部２１ｃは、第２留め部２１ｂと繋がって下側後方に落ちるように形成されており、本実施形態にあっては、かかる第１留め部２１ａ、第２留め部２１ｂ及び第３留め部２１ｃにより、第１経路２１１と繋がりボス１６を下側に導く第２経路２１２を形成している。
【００３４】
また、第３留め部２１ｃと繋がるように、第３経路２１３が形成されているが、かかる第３経路２１３は、本実施形態にあっては、第３留め部２１ｃと繋がり、前方に水平に延びてボス１６を前方に導く経路２１３ｘと、かかる経路２１３ｘと繋がり、第１経路２１１の始点２１１ｓと繋がるようにボス１６を上側前方に導く経路２１３ｙから構成される。このように、第１経路２１１の始点２１１ｓと繋がるようにボス１６を上側前方に導くことにより、ボス１６ないしはスライドクランクバー１５をスムースに前方に移動させることができる。
【００３５】
（II）テープカッター１の作動：
図６ないし図１０は、本実施形態に係るテープカッター１の正面図であり、図６は、図１と同様に、剥離タブＴＢが形成され、次の引き出しを待つ状態、図７は、粘着テープＴが引き出された状態、図８は、粘着テープＴがさらに引き出されて固定（ロック）された状態、図９は、粘着テープＴが切断刃１４１によりカットされようとしている状態、図１０は、粘着テープＴが切断刃１４１によりカットされた後の状態、をそれぞれ示す。
【００３６】
以下、前記した図６ないし図１０を用いて、本実施形態に係るテープカッター１の作動の一例を説明する。なお、図６に示した状態が最初の状態（図１と同様）であるが、前記したように、図６の状態にあっては、剥離タブＴＢが形成され、次の引き出しを待つ状態であり、揺動クランクバー１４は、粘着テープＴが引き出される方向とは反対の方向（切断刃１４１が配設される先端が後方）にあり、ボス１６は、カム溝２１の第１経路２１１の始点２１１ｓに位置することになる。
【００３７】
まず、図６に示した状態から、剥離タブＴＢを摘んで粘着テープＴを図６の点線矢印方向に引き出すと、粘着テープＴとラチェット１１が実線矢印方向に回転する。ラチェット１１が回転すると、ストッパー１７に配設された歯止め１７１が、ラチェット１１の周縁に形成された歯１１１に押されて、かかるラチェットの歯１１１の形状に沿って下側後方に押し出されることになる。
【００３８】
このようにして粘着テープＴが引き出された図７の状態では、ストッパー１７の歯止め１７１が下側後方に押し出されることにより、ストッパー１７及びスライドクランクバー１５が下側後方に移動し、ボス１６もカム溝２１の第１経路２１１の始点２１１ｓから、第１経路２１１に沿って後方に進み、カム溝２１の形状に沿って第１留め部２１ａに落ちることになる。
【００３９】
さらに、一定量の粘着テープＴを引き出すことにより、ストッパー１７がラチェット１１に形成された歯１１１から外れて、図８に示すように、ボス１６は、カム溝２１の第１留め部２１ａから第２留め部２１ｂに移動する。第１留め部２１ａより第２留め部２１ｂは前方にあるため、ボス１６は第２留め部２１ｂで固定（ロック）され、ボス１６が固定されることにより、スライドクランクバー１５及びスライドクランクバー１５と連接される揺動クランクバー１４が固定されることとなる。このように、ボス１６が第２留め部２１ｂにある状態で固定され、それによりスライドクランクバー１５及び揺動クランクバー１４も固定されるため、任意の長さの粘着テープＴを引き出す（最終的には切り出す）ことが可能となる。
【００４０】
この状態で、図９に示すように、粘着テープＴを切断刃１４１によりカットしようとすることにより、揺動クランクバー１４に対して後方への応力が加わるため、スライドクランクバー１５は後方に移動し、ボス１６も第２留め部２１ｂから後方の第３留め部２１ｃに移動することになり、固定状態を脱することになる。
【００４１】
そして、図１０に示すように、粘着テープＴを切断刃１４１によりカットすることにより揺動クランクバー１４は付勢手段（図示しないねじりバネ）により、切断刃１４１とガイド１２の間で剥離タブＴＢを作りながら、粘着テープＴの引き出し方向と反対方向（後方）に付勢される。また、揺動クランクバー１４がこのように付勢されることにより、スライドクランクバー１５は前方に動き、ボス１６も第３留め部２１ｃから、第３経路２１３（経路２１３ｘ，経路２１３ｙ）を通過して（図１０はボス１６が経路２１３ｘと経路２１３ｙの間にある状態を示している。）、剥離タブＴＢが形成されて次の引き出しを待つ図６の状態に戻ることになる。
【００４２】
（III）本発明の効果：
以上説明した本実施形態に係るテープカッター１は、揺動クランクバー１４の先端に配設された切断刃１４１が粘着テープＴを切断してから後方に戻るにあたって、上側のループからなる剥離タブＴＢを確実に安定して形成することができる。
【００４３】
具体的には、本発明は、固定カム機構を用いて、固定カム板２に形成されたカム溝２１の形状がスライドクランクバー１５の動く軌道を決定するものであり、ラチェット１１の回転によりストッパー１７に配設された歯止め１７１がラチェットの歯１１１から外れ、スライドクランクバー１５が後方に移動し、それに伴い揺動クランクバー１４の先端が前方に移動する一方、粘着テープＴが切断刃１４１により切断されることによりスライドクランクバー１５が前方に移動することにより、揺動クランクバー１４の先端が、後方に戻りながら、上側のループからなる剥離タブＴＢを確実に安定して形成することができる。
【００４４】
（Ｂ）実施形態の変形：
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００４５】
例えば、図４に正面図を示したストッパー１７は、固定軸１７２を介してスライドクランクバー１５に回動可能に固定されており、また、スライドクランクバー１５が上側に回動した場合に、ストッパー１７に形成された歯止め１７１がラチェットの歯１１１に係合することにより、ラチェット１１の回転を規制するはたらきをする。一方、ストッパー１７は、図１１及び図１２に示すように、付勢手段１７４によりラチェット１１へ向かう方向に付勢させるようにしてもよい。
なお、以下の説明においては、前記した第１実施形態と同様の構造及び同一部材には同一符号を付して、その詳細な説明は省略または簡略化する。
【００４６】
図１１は、ストッパー１７周辺の他の態様を示した正面図、図１２は、図１１の右側面図である。図１１及び図１２に示したストッパー１７は、スライドクランクバー１５に形成されるバネ止め部１５３と、ストッパー１７に形成されるバネ止め部１７３により付勢手段１７４（例えば、コイル状押しバネ１７４）により連結され、開放状態にあっては上側（ラチェット１１に向かう方向）に付勢される。なお、コイル状押しバネ１７４は、図示しない樹脂バネを用いるようにしてもよく、一体成形された樹脂バネとストッパー１７を使用することも可能である。ストッパー１７は、前記のように回動可能とされているが、ストッパー１７の先端には止め部１７５が形成され、スライドクランクバー１５に形成されている第１ストッパー止め１５１により上側への動きが、同様に、第２ストッパー止め１５２により、下側（ラチェット１１に向かう方向と反対の方向）への動きが、それぞれ規制される。
【００４７】
また、前記した実施形態では、剥離タブＴＢが下側のループにより形成されるのを抑制するために、粘着テープＴと対向する部分を略Ｕ字形状に窪むように形成された板状部材をテープ受け１３として粘着テープＴの下面（粘着剤が塗布されている面）に配設した態様を用いて説明したが、図１３に示すように、かかる板状部材の代わりに、ガイド１２の後方及び粘着テープＴの下側にローラー１３１を配設するようにしてもよい。
【００４８】
図１３は、ローラー１３１からなるテープ受け１３周辺の一態様を示した正面図である。図１３に示すように、ガイド１２の後方及び粘着テープＴの下側に配設されるローラー１３１は、粘着テープＴと摺接可能とされる一方、粘着テープＴが引き出されるにあたり、かかる粘着テープＴの進行を妨げないように、粘着テープＴが摺接して回転する方向（図１３の矢印方向）にローラー回転軸１３１ａを中心に回転可能であるが、その逆方向には回転できない構成とされることが好ましい。テープ受け１３であるローラー１３１が、図１３の矢印方向にのみ回転可能とされることにより、剥離タブＴＢが下側のループにより形成されるのを抑制する。ローラー１３１が所定の方向のみに回転可能とするには、ラチェット機構を用いて回転方向を制御してもよく、また、所定の方向にのみ摩擦力がかかる構成にする等、その手段は任意である。
【００４９】
また、前記した実施形態では、固定カム板２に形成される誘導溝であるカム溝２１の形状について、図５に示したように、ボス１６を後方に導く第１経路２１１と、第１経路２１１と繋がり下側後方に落ちる方向に形成される第１留め部２１ａと、第１留め部２１ａと繋がり下側前方に落ちる方向に形成される第２留め部２１ｂと、第２留め部２１ｂと繋がり下側後方に落ちる第３留め部２１ｃと、第３留め部２１ｃと繋がり、前方に水平に延びる経路２１３ｘと、経路２１３ｘと繋がり、上側前方に延びて第１経路２１１の始点２１１ｓに繋がるように形成される経路２１３ｙからなる態様を示して説明した。一方、カム溝２１の形状は、ボス１６ないしはスライドクランクバー１５を、始点２１１ｓから後方に移動させる、下側に移動させる、前方に移動させて始点２１１ｓに戻す、ということができればよいので、ボス１６を後方に導く第１経路２１１と、第１経路２１１と繋がりボス１６を下側に導く第２経路２１２と、第２経路２１２と繋がりボス１６を前方に導き、第１経路２１１に繋がる第３経路２１３、を含むものであればよい。
【００５０】
前記した実施形態では、ラチェットの歯１１１の枚数を３６枚とした例を示して説明したが、ラチェットの歯１１１はかかる枚数には限定されず、任意の枚数を採用することができる。なお、ラチェットの歯１１１の枚数は、１回に引き出される粘着テープＴの長さとラチェット１１の回転量（回転角度）等により決定することができるが、概ね、２０〜５０枚とすることが好ましく、２４〜３６枚とすることが特に好ましい。
【００５１】
前記した実施形態では、ラチェット１１の回転により、ストッパー１７に配設された歯止め１７１が、ラチェット１１の周縁に形成された歯１１１に押されて、かかるラチェットの歯１１１の形状に沿って下側後方に押し出される態様を用いて説明したが、ラチェットの歯１１１の形状やストッパー１７に配設される歯止め１７１の形状により、ラチェットの歯１１１の形状に沿って下側に押し出されるようにしても問題はない。
【００５２】
前記した実施形態では、カム溝２１が形成された固定カム板２が、正面視矩形状の板状部材からなる態様を示したが、固定カム板２の形状は任意であり、例えば、側面板１０１と共通する形状としてもよく、また、固定カム板２が側面板１０１の一部または全部を構成するようにしても問題はない。
【００５３】
なお、本発明に係るテープカッター１は、剥離タブＴＢを形成するためのテープカッター１であるが、スライドクランクバー１５の後方端部に、カッター本体１０から可動式ストッパー（図示しない）等を取り付けたりする等の手段により、揺動クランクバー１４を図２や図８に示した状態のように前方に倒したまま固定して、剥離タブＴＢを形成しない通常のテープカッターとして使用するようにしても問題はない。
その他、本発明の実施の際の具体的な構造及び形状等は、本発明の目的を達成できる範
囲で他の構造等としてもよい。
【産業上の利用可能性】
【００５４】
本発明は、粘着テープの先端に剥離タブを確実かつ安定して形成することができるので、包装分野、事務分野等で使用されるテープカッターを提供する手段として有利に使用することができる。
【符号の説明】
【００５５】
１  ……  テープカッター
１０  ……  カッター本体
１０１  ……  側面板
１０２  ……  台座
１１  ……  ラチェット
１１１  ……  ラチェットの歯
１２  ……  ガイド
１３  ……  テープ受け
１３１  ……  ローラー（テープ受け）
１３１ａ  ……  ローラー回転軸
１４  ……  揺動クランクバー
１４１  ……  切断刃
１４２  ……  支点軸
１４３  ……  連結軸
１５  ……  スライドクランクバー
１５１  …  第１ストッパー止め
１５２  …  第２ストッパー止め
１５３  ……  バネ止め部
１６  ……  ボス
１７  ……  ストッパー
１７１  ……  歯止め
１７２  ……  固定軸
１７３  ……  バネ止め部
１７４  ……  付勢手段（コイル状押しバネ）
１７５  ……  止め部
２  ……  固定カム板
２１  ……  カム溝
２１１  ……  第１経路
２１１ｓ  ……  第１経路の始点
２１２  ……  第２経路
２１３  ……  第３経路
２１３ｘ，２１３ｙ  ……  経路
２１ａ  ……  第１留め部
２１ｂ  ……  第２留め部
２１ｃ  ……  第３留め部
Ｓ  ……  支持体（リール）
Ｔ  ……  粘着テープ
ＴＢ  ……  剥離タブ
Ｘ  ……  回転軸
【図１】
2012240782.tif 000003
【図２】
2012240782.tif 000004
【図３】
2012240782.tif 000005
【図４】
2012240782.tif 000006
【図５】
2012240782.tif 000007
【図６】
2012240782.tif 000008
【図７】
2012240782.tif 000009
【図８】
2012240782.tif 000010
【図９】
2012240782.tif 000011
【図１０】
2012240782.tif 000012
【図１１】
2012240782.tif 000013
【図１２】
2012240782.tif 000014
【図１３】
2012240782.tif 000015